(57)【要約】【課題】シャッタカーテンの下端に、火災時に人が挟まれても上方に退避できる耐熱防火シートを取り付け、シャッタカーテンをシャッタボックス内に収納した際に防火シートがシャッタボックス下方に残らないようにする。【解決手段】シャッタカーテン３の下端部に橋絡板１１とストッパ脚１２を設け、橋絡板１１に防火シート９を取り付け、橋絡板１１に固定された支持板１６にプーリ３０を設け、橋絡板１１に受具２６を固定し、プーリ３０にワイヤ２９を掛け渡し、ワイヤ２９の一端を防火シート９の下部に固定するとともに、他端を受具２６に対して相対的に下方から嵌合し下方に抜け出ることが可能な係合部材２１の上端に取り付け、シャッタカーテン３がシャッタボックス内の巻取ドラムに巻き取られると、係合部材２１が建物の天井部のまぐさに係合し、ワイヤ２９を引っ張り、防火シート９を上方にまくし上げる。【選択図】図２
2008266923.tif 000002
【特許請求の範囲】
【請求項１】
互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから形成された門型ストッパを有し、上記橋絡板に取り付けられ上記橋絡板と左右のストッパ脚で囲う通孔部を閉じる下端に座板が固定された耐熱性繊維材からなる防火シートとを備え、上記シャッタカーテンの左右の側縁部、防火シートの左右の側縁部、橋絡板の左右両端、及び左右のストッパ脚を左右のガイドレールの凹溝内で案内して上下方向に移動し、防火シャッタの開閉を行う防火シャッタ用安全装置において、
上記左右のストッパ脚は、その横幅が上記左右のガイドレールの凹溝の深さより小さく、正面から見て見えない状態で上記凹溝内に嵌合している構成であることを特徴とする防火シャッタ用安全装置。
【請求項２】
互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから形成された門型ストッパを有し、上記橋絡板に取り付けられ上記橋絡板と左右のストッパ脚で囲う通孔部を閉じる下端に座板が固定された耐熱性繊維材からなる防火シートとを備え、上記シャッタカーテンの左右の側縁部、防火シートの左右の側縁部、橋絡板の左右両端、及び左右のストッパ脚を左右のガイドレールの凹溝内で案内して上下方向に移動し、防火シャッタの開閉を行う防火シャッタ用安全装置において、
上記橋絡板又は該橋絡板に固定された支持板に取り付けられた案内具と、
上記橋絡板に固定された受具と、
上記受具に対して上下方向に相対的に移動することで、該受具に下方から嵌合して受け止められ、かつ該受具から下方に向けて抜けることが可能である係合部を備えた係合部材と、
上記案内具にかけられて案内され、一端が上記防火シートの下部に取り付けられ、他端が上記係合部材の上端に取り付けられたワイヤと、を備え、
上記左右のストッパ脚は、その横幅が上記左右のガイドレールの凹溝の深さより小さく、正面から見て見えない状態で上記凹溝内に嵌合しており、
上記シャッタカーテンがシャッタボックス内の巻取ドラムに巻き取られると上記橋絡板、左右のストッパ脚及び防火シートが上方に移動し、上記係合部材の係合部が防火シャッタの取付けられた建築物の一部に係合し、上記受具から相対的に下方に抜けて上記案内具に対して相対的に移動して上記ワイヤを引っ張り、上記防火シートを上方にまくし上げることが可能な構成であることを特徴とする防火シャッタ用安全装置。
【請求項３】
上記受具は正面から見て台形に形成されており、その左右両側縁に沿って折り返されて形成された全体として正面から見てハの字型の受け溝を有し、
上記係合部材は、上記ハの字型の受け溝に嵌合されて受け止められることが可能な正面から見て台形に形成された本体部と、該本体部の下端の上記係合部とを有するものであることを特徴とする請求項２記載の防火シャッタ用安全装置。
【請求項４】
上記座板の両端には、抜止片が上記ガイドレールの凹溝内に向けてばねによって付勢され上記座板の長手方向に移動可能なように設けられていることを特徴とする請求項１、２又は３記載の防火シャッタ用安全装置。
【請求項５】
上記抜止片の先端に回転可能な案内ローラを備えたことを特徴とする請求項４記載の防火シャッタ用安全装置。
【請求項６】
上記受具の下端又は係合部材の上端にはテーパ面が形成されており、上記係合部材は、上記ワイヤに引っ張られて受具に相対的に下方から嵌合する際に上記テーパ面に沿って滑らかに案内される構成であることを特徴とする請求項３、４又は５記載の防火シャッタ用安全装置。
【発明の詳細な説明】
【技術分野】
【０００１】
本発明は、建物や施設等に設置される防火シャッタに関し、特に人が防火シャッタに挟まる事故を防止する防火シャッタ用安全装置に関する。
【背景技術】
【０００２】
近年、商業用ビル、学校等における火災への対策として、防火シャッタが普及されている。従来の防火シャッタは、解放時には上方に巻き取られてブレーキで拘束されて収納されており、火災時又は点検時に、ブレーキの拘束を解いて自重によりシャッタを降下させて閉じる構造となっている。
【０００３】
しかしながら、近年、子供が、誤作動により降下した防火シャッタの下敷きとなり、その荷重で圧死するといういたましい事故が発生しており、防火シャッタの安全性の見直しが社会的な問題となっている。安全対策として、火災時あるいは点検時を除いてやたらに防火シャッタが降下しないように設計されているが、万が一に、防火シャッタの降下時に、防火シャッタの直下に人がいる場合は、それを光学的に検知して、緊急にブレーキをかける等の手段が考えられている。
【０００４】
しかし、そのためには、光学的検知装置やブレーキを制御する制御装置等が必要であり、構成が複雑となり新規に防火シャッタを設置する場合でも、既存の防火シャッタに付設する場合でも、設備費用が高くなる。しかも、光学的、電気的な検知装置、制御装置を使用すると、誤動作等の危険性も皆無とは言えない。
【０００５】
本発明者は、上記従来の問題点を解決することを目的とし、既存又は新設の防火シャッタに、簡単な付帯工事をするだけで取り付けることのできる、構造が簡単で低コストの防火シャッタ用安全装置に係る発明をすでに提案している（例えば、特許文献１〜３参照）。
【０００６】
本発明者によるこれらの先行発明は、防火シャッタのガイドレールに、防火シャッタが設置面との間に隙間を残して停止するストッパ杆を設けるか、あるいは、防火シャッタを隙間を残して閉鎖する寸法に形成するとともに、防火シャッタの下端に防火補助部材として防火スライド板を設け、防火シャッタが閉鎖中は防火シャッタの一部となり防火機能を発揮するが、防火シャッタの降下時に子供等が挟まれると上方にスライドして退避し、防火シャッタと設置面の間に隙間を残すようにして、事故を防止する防火シャッタ用安全装置である。
【０００７】
なお、防火シャッタとして、シャッタを閉鎖した状態で、上半部がスチールシャッタで下半部をゴムシートとし、ゴムシートに切れ目を形成し、火災時にその切れ目から人が避難できる、防煙を目的とする防火シャッタが知られている（特許文献４参照）。
【０００８】
さらに、本発明者は、シャッタカーテンの下端に、門型ストッパを固定するとともに、防火シートの上端を取り付けて、シャッタカーテン降下した際に、門型ストッパで囲まれた通孔部を防火シートで遮蔽し、火災時に人が挟まれても上方に退避できる耐熱防火シートで閉鎖される退避用の隙間を十分とることがき、しかもシャッタカーテンをシャッタボックス内に収納した際に防火シートをまくし上げるまくし上げ機構を設け、シャッタボックス下方に残らないようにした防火シャッタ用安全装置について提案している（特許文献５参照）。
【特許文献１】特許第２９４０６７１号公報
【特許文献２】特開２０００−８７４０号公報
【特許文献３】特開２００２−８７４８号公報
【特許文献４】実開昭５１−９５２４５号公報
【特許文献５】特許第３８５４２５９号公報
【発明の開示】
【発明が解決しようとする課題】
【０００９】
特許文献１〜３は、防火シャッタが降下した際に、防火シャッタの下部に設けたストッパ杆が設置面と当たって停止し隙間を残し、この隙間分だけ防火スライド板が退避するので、子供等が防火シャッタに挟まれることが防止できるという多大な効果を奏する。ところで、ストッパ杆と設置面との間の隙間は、上下方向に大きい寸法であれば、防火スライド板が退避により形成される隙間も大きくできるので好ましい。
【００１０】
しかしながら、この隙間の上下方向の寸法を大きくしても、退避する防火スライド板の上下方向の寸法を大きくすることができない。その理由は、防火シャッタを開いた通常の状態にする際に、シャッタボックス内の巻取ドラムでシャッタカーテンを巻き上げて収納するが、防火スライド板の上下方向の寸法が大きいと、巻き上げ完了の際、要するに、シャッタボックス内にスラットを収納しても、防火スライドがシャッタボックス及び天井壁から下方に残った状態となり、見た目も悪い。
【００１１】
ところで、特許文献４には、上半部がスチールシャッタで下半部がゴムシートを設ける防煙シャッタが記載されているが、この防煙シャッタは、あくまでも火災時に防煙シャッタの切れ目を通して人が避難し、しかも防煙可能とすることを目的とするものである。従って、このように切れ目のあるゴムシートは、消防法等の諸規則で規定する防火シャッタとして機能するものではないし、このように防火シャッタを前提として、シャッタを閉鎖時に人がシャッタと設置面との間に挟まれた際の安全装置として機能するものではない。
【００１２】
特許文献５記載の防火シャッタ用安全装置は、火災時に人が挟まれても耐熱性の防火シートが上方に退避できるから、安全性は確保でき、またシャッタカーテンをシャッタボックス内に収納した際に、防火シートは下方に残らないという効果は生じるのであるが、防火シートまくし上げ機構の一部が、ガイドレールからはみ出して見え、見栄えが悪いという問題がある。
【００１３】
また、シャッタカーテンの下端に防火シートを取り付け、防火シートの下端に座板を取り付けた構成では、座板がガイドレールから抜けたりすると、火災時に、火炎や熱風を遮断する効果が半減するという問題があった。
【００１４】
本発明は、上記従来の問題点を解決することを目的とするものであり、具体的には次のような課題を解決する防火シャッタ用安全装置を実現することである。
（１）防火シャッタを閉鎖した状態で、防火機能を十分発揮する防火シャッタ安全装置において、シャッタカーテンの下端に取り付けたストッパにより、火災時や点検時のシャッタ閉鎖の際に、シャッタカーテンと設置面の間に十分な隙間をとることができ、この隙間を耐熱性の防火シートで閉鎖でき、閉鎖時に人が挟まれても安全性が十分確保可能とする。
【００１５】
（２）シャッタを開きシャッタカーテンをシャッタボックス内に収納した際に、防火シート及び防火シートまくし上げ機構を下方からみても見えないようして、見栄えを良くする。
【００１６】
（３）防火シートの下端に取り付けた座板がガイドレールの凹溝からはずれないようにして、火災時の火炎や熱風を、十分遮断するようにする。さらに、防火シートはガイドレールに沿って滑らかに降下し、上昇するようにすることで、防火、防煙機能を効果的に行えるようにして、しかも人が挟まれても効果的に防火シートを上昇退避させるようにする。
【課題を解決するための手段】
【００１７】
本発明は上記課題を解決するために、互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから形成された門型ストッパを有し、上記橋絡板に取り付けられ上記橋絡板と左右のストッパ脚で囲う通孔部を閉じる下端に座板が固定された耐熱性繊維材からなる防火シートとを備え、上記シャッタカーテンの左右の側縁部、防火シートの左右の側縁部、橋絡板の左右両端、及び左右のストッパ脚を左右のガイドレールの凹溝内で案内して上下方向に移動し、防火シャッタの開閉を行う防火シャッタ用安全装置において、上記左右のストッパ脚は、その横幅が上記左右のガイドレールの凹溝の深さより小さく、正面から見て見えない状態で上記凹溝内に嵌合している構成であることを特徴とする防火シャッタ用安全装置を提供する。
【００１８】
本発明は上記課題を解決するために、互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから形成された門型ストッパを有し、上記橋絡板に取り付けられ上記橋絡板と左右のストッパ脚で囲う通孔部を閉じる下端に座板が固定された耐熱性繊維材からなる防火シートとを備え、上記シャッタカーテンの左右の側縁部、防火シートの左右の側縁部、橋絡板の左右両端、及び左右のストッパ脚を左右のガイドレールの凹溝内で案内して上下方向に移動し、防火シャッタの開閉を行う防火シャッタ用安全装置において、上記橋絡板又は該橋絡板に固定された支持板に取り付けられた案内具と、上記橋絡板に固定された受具と、上記受具に対して上下方向に相対的に移動することで、該受具に下方から嵌合して受け止められ、かつ該受具から下方に向けて抜けることが可能であり係合部を備えた係合部材と、上記案内具にかけられて案内され、一端が上記防火シートの下部に取り付けられ、他端が上記係合部材の上端に取り付けられたワイヤと、を備え、上記左右のストッパ脚は、その横幅が上記左右のガイドレールの凹溝の深さより小さく、正面から見て見えない状態で上記凹溝内に嵌合しており、上記シャッタカーテンがシャッタボックス内の巻取ドラムに巻き取られると上記橋絡板、左右のストッパ脚及び防火シートが上方に移動し、上記係合部材の係合部が防火シャッタの取付けられた建築物の一部に係合し、上記受具から相対的に下方に抜けて上記案内具に対して相対的に移動して上記ワイヤを引っ張り、上記防火シートを上方にまくし上げることが可能な構成であることを特徴とする防火シャッタ用安全装置を提供する。
【００１９】
上記受具は正面から見て台形に形成されており、その左右両側縁に沿って折り返されて形成された全体として正面から見てハの字型の受け溝を有し、上記係合部材は、上記ハの字型の受け溝に嵌合されて受け止められることが可能な正面から見て台形に形成された本体部と、該本体部の下端の上記係合部とを有する構成であることが好ましい。
【００２０】
上記座板の両端には、抜止片が上記ガイドレールの凹溝内に向けてばねによって付勢され上記座板の長手方向に移動可能なように設けられている構成であることが好ましい。
【００２１】
上記抜止片の先端には、回転可能な案内ローラを備えている構成とすることが好ましい。  
【００２２】
上記受具の下端又は係合部材の上端にはテーパ面が形成されており、上記係合部材は、上記ワイヤに引っ張られて受具に相対的に下方から嵌合する際に上記テーパ面に沿って滑らかに案内される構成であることが好ましい。
【発明の効果】
【００２３】
本発明に係る防火シャッタ用安全示装置によると、次のような効果が生じる。
（１）防火シャッタを閉鎖した状態でも、防火機能を十分発揮することができ、防火シャッタを閉じた際にシャッタカーテンの下端に取り付けた門型のストッパが設置面に当接してシャッタ下方に隙間を形成することができ、この隙間及びこの隙間を閉鎖する防火シートの幅を上下方向の寸法を十分とることができる。
【００２４】
（２）防火性を低下させることなく、火災時の防火機能を改善し、かつ人が挟まった場合の防火スシートの上方への退避安全動作についても信頼性を向上させ、さらに防火シャッタの収納性をも向上することができる。
【００２５】
（３）シャッタカーテンをシャッタボックス内に収納した際に、防火シート及び防火シートまくし上げ機構を、シャッタボックス下方の下から見えないので、見栄えがよくなる。
【００２６】
（４）防火シートの下端に設けた座板の両端から、常時、左右外側に突出するようにばねにより付勢された抜け止めを設けたので、防火シートがガイドレールの凹溝から抜けにくいので、火災時においても火炎、熱風等を十分遮蔽することが可能となる。また、抜け止めの先端にローラを設けたので、火災等の緊急時に、防火シート９は、つっかえたりすることなく、ガイドレールの凹溝内を転動して滑らかに降下し防火、防煙機能を発揮するとともに、また人Ｐを挟んでも滑らかに上方に退避するので、より安全である。
【発明を実施するための最良の形態】
【００２７】
本発明に係る防火シャッタ用安全示装置を実施するための最良の形態を実施例に基づいて図面を参照して、以下説明する。
【実施例】
【００２８】
図１〜８は、本発明に係る防火シャッタ用安全示装置の実施例の構成及び作用を説明する図である。図１は、本発明に係る防火シャッタ用安全装置が適用された防火シャッタの実施例の全体構成を説明する図であり、図１（ａ）はその正面図であり、そのＡ−Ａ断面を図１（ｂ）で示す。        
【００２９】
（全体構成）
この防火シャッタ１は、複数のスラット２が上下方向に連節されて成るシャッタカーテン３を備えている。左右一対のガイドレール５は、図１（ｂ）に示すように、断面が凹型の溝４（以下、「凹溝」という。）を有している。互いに連節された複数のスラット２は、その左右両側縁の部分が、図１（ａ）、（ｂ）に示すように、左右のガイドレール５の凹溝４内で移動可能な状態に装入されており、これにより、スラット２は、上下方向に案内されて昇降可能である。
【００３０】
火災や点検時ではない平常時においては、防火シャッタ１は、図示はしないが開いており、シャッタカーテン３は、上方に配設されたシャッタボックス６内に巻き取られて図示しないブレーキにより拘束され、降下しない構成とされている。通常の点検時においてシャッタカーテン３の昇降動作をチェックするような場合、あるいは火災が発生して、その煙を煙検知器で検知し又は熱検知器で熱を検知した場合等には、ブレーキによる拘束が解除されて、シャッタカーテン３は、その自重により降下して、防火シャッタ１が閉鎖される。
【００３１】
このような構成の防火シャッタ１は従来から知られた構造であるが、本発明は、このような防火シャッタ１に取り付けることの可能な防火シャッタ用安全装置７を特徴とする。この防火シャッタ用安全装置７について、以下、さらに図１〜図８で説明を続ける。
【００３２】
この防火シャッタ用安全装置７は、シャッタカーテン３の最下段のスラット２’（本発明の「シャッタカーテンの下端部」に相当する。）に固定される門型ストッパ８と、この門型ストッパ８に上下動可能に取り付けられる防火補助部材である防火シート９とを備えている。そして、この防火シャッタ用安全装置７は、シャッタボックス６内に巻き取られる際に、門型ストッパ８に対して防火シート９を自動的に上方にまくし上げる防火シートまくし上げ機構１０を備えている。
【００３３】
（門型ストッパと防火シート）
門型ストッパ８は、図１（ａ）に示すように、スラット２と左右方向の幅が同じ橋絡板１１と、この橋絡板１１の左右両端から下方に伸びる左右のストッパ脚１２とから門型に一体又は別体（本実施例の場合は一体）で構成されている。図１（ａ）、（ｂ）に示すように、橋絡板１１は、最下段のスラット２’にネジ１３で固定されて取り付けられている。ストッパ脚１２は、左右のガイドレール５の夫々の凹溝４内で上下方向に移動可能に嵌合されている。
【００３４】
この場合、左右のストッパ脚１２は、その横幅（左右方向の横幅）が左右のガイドレール５の凹溝４の深さより小さく、凹溝４内に入っており正面から見て見えない状態で上記凹溝４内に嵌合している。これにより、見栄えが良くなるとともに、通孔部１４の横幅を大きくとることができる。
【００３５】
門型ストッパ８における橋絡板１１と左右のストッパ脚１２で囲われたほぼ長方形の部分が、通孔部１４として形成されている。この通孔部１４は、詳細は後述するが、防火シャッタ１の閉鎖時に門型ストッパ８の左右のストッパ脚１２が設置面１５に当接すると、設置面１５との間で隙間を形成する。
【００３６】
通孔部１４の上下方向の寸法は、防火シャッタ１の閉鎖時に人が挟まれても、スラット２が人に衝突して衝撃を与えないように設計される。本発明に係る防火シャッタ用安全装置７は、通孔部１４の上下方向の寸法を十分とれるようにした構成であることが特徴であり、具体的には、通孔部１４の上下方向の寸法が少なくとも４０ｃｍ以上となるように、ストッパ脚１２の上下方向の長さ寸法が形成される。
【００３７】
防火シート９は、耐熱性の高い繊維材からなる繊維シートから成る。耐熱性の高い繊維材としては、例えば、繊維に二酸化ケイ素を含有させて織って構成されるシリカファイバーシート等が使用され、通常の厚手の布材（例えば、帆布等）のように可撓性の材料を利用する。
【００３８】
この防火シート９の正面から見た平面形状は、長方形であり、その横寸法と縦寸法は、門型ストッパ８全体の横寸法（防火シャッタ１の左右横方向の寸法）と縦寸法（防火シャッタ１の上下方向の寸法）とほぼ同じである。防火シート９は、耐熱性の高い繊維シートの一枚から形成してもよいし、複数枚を縫い合わせて一枚のシートとして使用してもよい。防火シート９の上下方向の途中に、左右横方向水平に伸びる金属材、樹脂材等で形成された細長の中間補強片３９が防火シート９内に縫い込まれて取り付けられている。
【００３９】
この防火シート９の上端部は、門型ストッパ８の橋絡板１１の前面又は背面（本実施例では前面）に、ネジ１３’で固定されている。防火シート９の下端部には、座板２０が固定されている。
【００４０】
この座板２０は、例えば、図２（ｂ）に示すように、前後一対の断面Ｌ型の座板片２１から成る。この座板片２１は、底部２２と垂直に起立した垂直部２３とから成る。底部２２の幅は、図１（ｂ）に示すように、その左右の両端部では小さく形成されており、ガイドレール５の凹溝４内で上下方向に移動し易いように構成されている。
【００４１】
座板片２１は、耐熱鋼等の耐熱金属材から形成されている。そして、座板２０は、人に衝突しても怪我を与えないことと、防火シート９を下方に引っ張るように荷重をかけることを考慮して、その重量を決める必要がある。
【００４２】
上記のとおり、防火シート９の上端は、門型ストッパ８の橋絡板１１に固定され、下端には座板２０の重量による下向きの力が作用して下方に引っ張られて垂れ下がり、その結果、門型ストッパ８及び通孔部１４をほぼ全面的に覆うように構成されている。
【００４３】
このような門型ストッパ８と防火シート９を設けることで、火災時や点検時に防火シャッタ１を閉じた際には、ストッパ脚１２が設置面１５に当り、橋絡板１１と左右のストッパ脚１２で囲われた通孔部１４は、防火シート９により完全に閉鎖可能となり、防火シート９は、シャッタカーテン３とともに、防火及び防煙機能を発揮する。
【００４４】
（座板の抜け止め機構）
防火シートの座板２０の左右両端がガイドレール５の凹溝４内に入っているので、防火シート９は、火災時の熱風で煽られてもガイドレール５から抜けて通孔部１４を開いてしまうようなことは防止される。しかしながら、火災時に、人Ｐが挟まって座板２０の左右方向の片側を持ち上がったりした際に座板２０がガイドレール５の凹溝４から外れると、火炎や熱風等を遮断することができなくなる。そこで、本発明では、座板の抜け止め機構を設けた。
【００４５】
この座板の抜け止め機構を図２（ｂ）、（ｃ）において、説明する。前後一対の座板片２１の垂直部２３を防火シート９の下端部に前後から当接して防火シート９を挟持するようにして、ネジ２４で固定されて取り付けられる。一対の座板片２１の左右両端において、それぞれ下部の間の隙間２１’には、抜止片１７が座板の長手方向に水平に移動し、座板片２１の端部から出没可能なように装入されている。なお、抜止片１７は、一対の座板片２１の間ではなく、一対の座板片２１のいずれかの側面に当接して移動可能なように設けてもよい。そのような別の実施態様（変形例）は、図１０とともに後記する。
【００４６】
図２（ｂ）、（ｃ）で示す座板の抜け止め機構では、具体的に、座板片２１の垂直部２３の下部に水平に延びるガイド用長孔２３’が形成されている。一方、抜止片１７の側部にヘッド付きガイドピン１８が突設され、このガイドピン１８は、ガイド用長孔２３’を貫通して側方に突出している。そして、座板片２１の端部には案内ローラ１９が回転可能に取り付けられている。座板片２１とヘッド付きガイドピン１８の間には引っ張りばね３８が装着されている。
【００４７】
このような座板２０の構成により、座板２０の両端から、それぞれ抜止片１７が、左右方向外方にガイドレール５の凹溝４内に突出するように付勢され、案内ローラ１９は凹溝４の底面に当接し、シャッタカーテン３が上下動する際に、案内ローラ１９は凹溝４の底面を転動するように構成されている。
【００４８】
以上の構成によって、門型ストッパ８の橋絡板１１の左右の側縁部及び左右のストッパ脚１２、防火シート９の左右の側縁部、並びに座板２０の左右の端部、抜止片１７及び案内ローラ１９は、それぞれ左右のガイドレール５の凹溝４内に位置し、しかも上下方向に移動可能な構成となっている。
【００４９】
そして、防火シート９は、ガイドレール５内で上下方向には移動するが、座板２０の左右両側端から抜止片１７を引っ張りばね３８により、抜止片１７及びローラ１９を凹溝４内に向かうように付勢し突出させているから、座板２０が傾斜しても凹溝４から抜けにくくなり、防火シート９は前後方向（正面側及び背面側方向）の動きが確実に拘束され、火災の際に煙の勢いで前後方向にめくれてしまうようなことはない。
【００５０】
図１０は、座板及び座板の抜け止め機構の別の実施態様（変形例）を示す図であり、座板の左右両端について同じ構成の抜け止め機構が設けられているが、一端のみのものについて説明する。この座板５２及び抜け止め機構５３では、座板５２は、図１０（ｂ）、（ｃ）に示すように、一対の座板部材５３から構成される。各座板部材５３は、ほぼ防火シャッタ１の横幅と同じ長さを有する細長い板材を略ｂ字に折り曲げて形成され、垂直部５４と、この垂直部５４の下部側方に形成された断面コの字型の底部５５とから一体で構成される。
【００５１】
一対の座板部材５３の一方の側の座板部材５３（図１０（ｂ）、（ｃ）の左側の座板部材）の側面には、抜け止め片５５が横方向に移動可能に取り付けられている。この抜け止め片５５は、本体部５６と、本体部５６から下方に分岐された枝部５７とから成る。枝部５７は、断面コの字型の底部５５内に挿入されている。
【００５２】
本体部５６には水平に延びるガイド用長孔５８、５９が形成されており、このガイド用長孔５８、５９の中に、座板部材５３の垂直部５４に固定されたヘッド付きガイドピン６０、６１がガイド用長孔５８、５９に対して相対的に摺動可能に挿通されて設けられている。本体部５６の外端には案内ローラ６２が回転可能に取り付けられている。
【００５３】
枝部５７には、水平に延びるガイド用長孔６３が形成され、座板部材５３の垂直部５４に固定されたヘッド付きガイドピン６４が摺動可能に挿通されて設けられている。枝部５７の先端には、側方に曲げられたばね取付部６５が形成されている。一方、断面コの字型の底部５５内には、ばね取付部６６が固定されて設けられている。ばね取付部６５とばね取付部６６の間に圧縮ばね６７が装着されており、抜け止め片５５をガイドレール５の凹溝４の底に向けて外側（図１０（ａ）の右方向）に付勢している。
【００５４】
なお、図１０（ｄ）に、図１０（ａ）〜（ｃ）に示す抜け止め機構５３の一部を変更した別の実施の態様の要部を示す。これは、枝部５７を底部５５内で防火シャッタ１の幅方向中心方向まで長く伸ばし、その先端のばね取付部６５を底部５５の奥に設け、ばね取付部６６を底部５５の端部開口近くに固定して設け、引っ張りばね６８により、抜け止め片５５を溝４の底に向けて付勢する構成としてもよい。
【００５５】
（防火シートまくし上げ機構）
本発明に係る防火シャッタ用安全装置７は、シャッタカーテン３をシャッタボックス６内に巻き上げて収納する際に、防火シート９をまくし上げるまくし上げ機構１０を１又は２以上設けている。本実施例では、図１に示すように、このまくし上げ機構１０を橋絡板１１の長手方向（防火シャッタの横幅方向）に間隔をおいて左右に２つ設けている。この左右のまくし上げ機構１０は、互いに同じ構成であり、代表として、左側のまくし上げ機構１０の構成を以下、詳細に説明する。
【００５６】
門型ストッパ８の橋絡板１１には、図１（ａ）、図１〜７に示すように、上方に突設された支持板１６が固定されている。この支持板１６の前面に、ワイヤ２９を案内する案内具として、プーリ３０が回転可能に設けられている。プーリ３０には、ワイヤ２９がかけられて案内される。なお、支持板１６を設けることなく、プーリ３０を橋絡板１１の上部に直接、設けてもよい。
【００５７】
プーリ３０は、ワイヤ２９を円滑に折返し案内する機能を発揮させるために設けたのであり、同様の機能を有するものであれば、プーリでなくても、平面視で湾曲状に折り返されたパイプ等の案内具であってもよい。
【００５８】
ワイヤ２９の一端は、防火シート９の縦幅の下から１／３程度の部位において中間補強片３９を介して防火シート９に固定されている。そして、ワイヤ２９の他端は、係合部材２５の上端に固定されている。この係合部材２５は、その本体部２５’は、図３（ａ）、（ｃ）に示すように正面から見て台形の形状をしている。本体部２５’の下端には、図３（ｂ）、（ｄ）に示すように、水平に起立した係合部２７が形成されている。従って、係合部材２５は、断面がＬ型形状をしている。
【００５９】
橋絡板１１の前面には、防火シート９を介して受具２６が固定されている。この受具２６は、全体的には、図３（ａ）、（ｃ）に示すように正面から見て台形の形状をしており、その左右両側縁部には、図３（ｃ）のＢ−Ｂ断面図に示すように、左右両側縁に沿ってそれぞれ折り返されて形成され、全体として正面から見てハの字型の受け溝２８を有している。受具２６のハの字型の受け溝２８で囲まれるスペース３１に、係合部材２５が相対的に下方から嵌合可能であり、また、相対的に下方に向けて抜けるような構成となっている。
【００６０】
なお、図４は、受具の別の実施態様の受具２６を示している。図４（ａ）〜（ｄ）は図３（ａ）〜（ｄ）に対応してその構成はほぼ図３の受具２６と同じであるが、受具２６’では、その下端にテーパ面３２を形成した構成である。このような構成の受具２６’によれば、そのテーパ面３２に沿って、係合部材２５が案内され、スペース３１に下方から嵌合しやすくなる。
【００６１】
なお、係合部材２５の上端の裏面側にテーパ面を設けて、受具２６の下端に当接しても引っ掛かることなく、受具２６の受け溝２８内に滑らかに案内されて嵌合される構成としてもよい。
【００６２】
ところで、本実施例では、受具２６を台形の板部材にしてハの字型の受け溝２８を設け、係合部材を台形の板部材にしたが、受具及び係合部材の構成は、いろいろな構成が考えられる。例として、図９に受具及び係合部材の構成のいろいろな実施の態様を示す。
【００６３】
図９（ａ）に示す実施の態様は、受具４０は円錐載頭形（橋絡板１１に固定する部分は平坦な表面にしてもよい。）であり、この受具４０に受け止められる係合部材４１は、円錐載頭形であり、その下端に起立した係合部４３を設けた構成である。受具４０には、係合部材４１が嵌合する円錐載頭形の貫通孔４２が形成されている。ワイヤ２９は係合部材４１の上面に取り付けられ、貫通孔４２を通して図示しないが上方に設置されたプーリ側に延ばされている。
【００６４】
図９（ｂ）に示す実施の態様は、受具４４は、貫通孔４５を有する台形のブロック部材として、係合部材４６は台形のブロック部材の貫通孔４５に嵌合される台形のブロック部材とし、その下端に起立した係合部４７を設けた構成である。ワイヤ２９は係合部材４６の上面に取り付けられ、貫通孔４５を通して図示しないが上方に設置されたプーリ３０側に延ばされている。
【００６５】
さらに、図９（ｃ）に示す実施の態様は、受具４８は貫通孔４９を有する板材とし、係合部材５０は受具４８の下面に当接する板材とし、その下端に起立した係合部５１を設けた構成である。ワイヤ２９は係合部材５０の上面に取り付けられ、貫通孔４９を通して図示しないが上方に設置された図示しないプーリ３０側に延ばされている。
【００６６】
本実施例では、防火シートまくし上げ機構１０を橋絡板１１に沿って左右に２つ設けているが、防火シートまくし上げ機構１０を橋絡板１１の中央部に１つ設けた構成としてもよいし、或いは、橋絡板１１の長手方向に適宜間隔をもって、３以上の防火シートまくし上げ機構１０を設けてもよい。防火シートまくし上げ機構１０の数は、防火シャッタ１の横幅（左右方向の横幅）に応じて適宜選択すべき設計事項である。
【００６７】
（作用）
以上の構成から成る本発明に係る防火シャッタ用安全示装置７の実施例の作用について以下説明する。火災時や点検時ではない平常時においては、図示はしないが、シャッタカーテン３は上方に配設されたシャッタボックス６内に巻き取られ、防火シャッタ１は開いている。火災時や点検時には、図１に示すように、シャッタカーテン３は、ブレーキの拘束を解いて、その自重により降下して、防火シャッタ１が閉鎖される。
【００６８】
防火シャッタ用安全示装置が付設されていない一般的な防火シャッタでは、その閉鎖の際に、人が転倒したりしてシャッタカーテン３の直下にいると、下降してくるシャッタカーテン３に挟まれてしまう。しかしながら、本発明に係る防火シャッタ１では、人が挟まれても次に説明するとおり安全である。
【００６９】
即ち、本発明に係る防火シャッタ１では、シャッタカーテン３が下降してくると、座板２０が人Ｐに当接するが、防火シート９が可撓性の耐熱性繊維シートで形成されているために、図５に示すように、防火シート９は上方に移動し退避する。
【００７０】
また、門型ストッパ８の左右のストッパ脚１２の下端が設置面１５に当接し、通孔部４によって、設置面１５と橋絡板１１との間に少なくとも上下方向に４０ｃｍ以上の隙間（門型ストッパによる隙間）が形成される。このため、防火シート９は上方に、少なくとも４０ｃｍ以上、退避する。従って、複数枚のスラット２から成るシャッタカーテン３が人Ｐに衝突してその全荷重による衝撃を人に与えるようなことはない。
【００７１】
ところで、既述のとおり、従来例の防火シャッタの安全装置では、人が挟まれた際に上方に退避できる防火スライド板（本発明の防火シート９に相当するもの。）が板材で形成されているために、その上下方向の幅が大きいと、シャッタボックス内にシャッタカーテンを巻き取っても、防火スライド板がシャッタボックス内に完全に収納することができない。
【００７２】
要するに、防火シャッタを開いている通常の状態で、防火スライド板がシャッタボックスの下方から見える状態で残ってしまう。従って、防火スライド板及び門型ストッパにより形成される隙間の上下方向の寸法は十分にはとれない。
【００７３】
しかしながら、本発明に係る防火シャッタ用安全装置７によれば、防火スライド板の代わりに可撓性の耐熱繊維材から成る防火シート９を利用し、しかも防火シートまくし上げ機構１０を設けたので、シャッタボックス６内への巻き上げ終了後、防火シート９が下方から見えてしまう等の問題が生じることない。しかも、門型ストッパ８により上下方向の隙間が十分（少なくとも４０ｃｍ以上の隙間）とれる。
【００７４】
この点の作用をさらに詳しく、防火シートまくし上げ機構１０を中心にして、図１〜８を参照して説明する。図１（ａ）、図２（ａ）に示すように、防火シャッタ１が閉鎖されているときには、防火シート９は、その自重及び座板２０の重さにより垂れ下がっている。そのために、図２（ａ）、図６（ａ）、（ｂ）に示すように、ワイヤ２９も下方に引っ張られ、係合部材２５は上方に引き上げられて受具２６の左右両側の受け溝２８で囲まれるスペース３１に、嵌合されている。
【００７５】
ところで、図８（ａ）は、シャッタカーテン３をシャッタボックス６内の巻取ドラム３３に巻き上げていった巻き上げ中の状態を示し、図８（ｂ）は、巻き上げ終了直前の状態を示す。図８において、建物の天井部の構造体３４に適宜、シャッタボックス６が固定されている。このシャッタボックス６には、図示しないモータにより駆動される巻取ドラム３３が付設されており、防火シャッタ１を開いている通常時（防火シャッタ非使用時）には、シャッタカーテン３のスラット２を巻き上げている。
【００７６】
ガイドレール５の上端は、建物の天井壁３５を貫通しシャッタボックス６に連通するように取り付けられている。ガイドレール５は、天井壁３５を貫通する部分において、天井壁の下面に設けられた前後一対のまぐさ３６（本発明における「建築物の一部」に相当するもの。本実施例では天井壁に水平に架け渡された支持桁。）で前後から支持されている。
【００７７】
閉鎖されていた状態の防火シャッタ１を開く際に、巻取ドラム３３にシャッタカーテン３を巻き取っていくと、最下段のスラット２’に固定された門型ストッパ８及び防火シート９も、共にガイドレール５で案内されて上昇していき、図８の（ａ）に示す状態に到達する。この状態では、防火シート９のほとんどの部分は、まぐさ３６及び天井壁３５より下方にあるから、下方からストッパ脚１２及び防火シート９が人の目に触れる状態にある。
【００７８】
図８（ａ）の状態からさらに巻取ドラム３３でシャッタカーテン３のスラット２を巻き上げていくと、門型ストッパ８及び防火シート９がさらに上方に移動する。そして、ある程度、門型ストッパ８が上方に移動すると、図７（ａ）、（ｂ）及び図８（ｂ）に示すように、係合部材２５の係合部２７がまぐさ３６に係合する。
【００７９】
このような係合状態で、さらに門型ストッパ８が上方に移動すると、係合部材２５はまぐさ３６と係合して移動できずに一定位置にある。しかし、門型ストッパ８とともに、プーリ３０及び受具２６は上方に移動するので、ワイヤ２９は、プーリ３０を介して係合部材２５側に引っ張られる。これにより、防火シート９はワイヤ２９によってまくし上げられる。
【００８０】
防火シート９が上方にまくし上げられると、防火シート９は、図７（ｂ）及び図８（ｂ）に示すように、ガイドレール５内からシャッタボックス６内において、折りたたまれて折りたたみ部３７が生じる。そして、防火シート９の下端に固定されている座板２０は、まぐさ３６及び天井壁３５より上方の位置となるので、下方から人の目に触れない状態となる。
【００８１】
ところで、図８（ｂ）の状態でも、門型ストッパ８の左右のストッパ脚１２は、その下部の一部がまぐさ３６の位置より下方に残るが、ストッパ脚１２は、ガイドレール５内に入っているから、下方から見ても見えない。
【００８２】
以上のとおり、本発明では、門型ストッパ８により形成される隙間（通孔部１４）の上下方向の寸法は十分（少なくとも４０ｃｍ以上）とり、これに対応して門型ストッパ８により形成される隙間（通孔部１４）閉鎖する防火シート９の上下方向の幅（縦幅）を十分とっても、シャッタカーテン３の巻き上げの最終状態で、防火シート９が天井壁３５より下方に残って下方から人の目に触れるような問題が生じない。
【００８３】
従って、門型ストッパ８により形成される上下方向の隙間（通孔部１４）を十分とれるから、防火シート９が上方に退避する間隔も大きくなり、防火シャッタ１に人が挟まってもスラット２が人に衝突する危険性がより少なくなり、安全性が一層、向上する。
【００８４】
そして、図１（ａ）、（ｂ）で示すように、門型ストッパ８の左右の橋絡板１１の左右の側縁部及びストッパ脚１２、防火シート９の左右の側縁部、並びに座板２０の左右の端部、抜止片１７及び案内ローラ１９は、それぞれ左右のガイドレール５の凹溝４内に位置し、しかも、案内ローラ１９は引っ張りばね３８により付勢されて凹溝４の底に当接されて上下方向に転動するので、滑らかに移動可能なような構成となっている。このために、火災等の緊急時に、防火シート９は、つっかえたりすることなく、滑らかに降下し防火、防煙機能を発揮するとともに、また人Ｐを挟んでも滑らかに上方に退避するので、より安全である。
【００８５】
防火シート９は、ガイドレール５内で上下方向には移動するが、座板２０の左右両側端から抜止片１７を引っ張りばね３８により、抜止片１７及び案内ローラ１９を凹溝４内に向かうように付勢し突出させているから、座板２０が傾斜しても抜けにくくなり、防火シート９は前後方向（正面側及び背面側方向）の動きがより確実に拘束されるから、火災の際に煙の勢いで前後方向にめくれてしまうようなことはない。
【００８６】
以上、本発明に係る防火シャッタ用安全装置を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００８７】
本発明に係る防火シャッタ用安全装置は、以上のとおり、複数のスラットから成るシャッタカーテンと設置面の間に、門型ストッパによって４０ｃｍ以上の十分な隙間が確保できるから、子供だけでなく大人のための防火シャッタ用安全装置としても適しており、学校の防火シャッタはもとより、商業用ビル、病院、工場、その他の建物や施設等で利用される防火シャッタに適している。
【図面の簡単な説明】
【００８８】
【図１】本発明の実施例の全体構成を説明する図であり、（ａ）は平面図であり、（ｂ）はＡ−Ａ断面を示す図である。
【図２】本発明の実施例の要部を説明する図であり、（ａ）はまくし上げ機構を説明するための要部正面図であり、（ｂ）及び（ｃ）は、座板の抜け止め機構の構成を説明するための要部断面図及び要部側面図である。
【図３】本発明の実施例のまくし上げ機構の各部の構成を説明する図であり、（ａ）、（ｃ）は正面図、（ｂ）は（ａ）のＡ−Ａ断面図、（ｄ）は（ｃ）のＣ−Ｃ断面図である。
【図４】本発明の実施例のまくし上げ機構の各部構成の別の実施態様を説明する図であり、（ａ）、（ｃ）は正面図、（ｂ）は（ａ）のＡ−Ａ断面図、（ｄ）は（ｃ）のＣ−Ｃ断面図である。
【図５】本発明の実施例の作用を説明するための防火シャッタの正面図である。
【図６】本発明の実施例のまくし上げ機構の作用を説明する図であり、（ａ）は正面図、（ｂ）は（ａ）のＡ−Ａ断面図である。
【図７】本発明の実施例のまくし上げ機構の作用を説明する図であり、（ａ）は正面図、（ｂ）は（ａ）のＡ−Ａ断面図である。
【図８】実施例の作用を説明する図である。
【図９】（ａ）〜（ｃ）は、それぞれ本発明の受具及び係合部材の別の実施態様（変形例）を説明する図である。
【図１０】座板及び座板の抜け止め機構の別の実施態様（変形例）を説明する図であり、（ａ）は要部側面図であり、（ｂ）は（ａ）のＡ−Ａ断面図であり、（ｃ）は（ａ）のＢ−Ｂ断面図である。（ｄ）はさらに別の実施態様（変形例）の要部を説明する図である。
【符号の説明】
【００８９】
１  防火シャッタ                                
２  スラット                                    
２’最下段のスラット                            
３  シャッタカーテン                            
４  ガイドレールの凹溝                          
５  ガイドレール                                
６  シャッタボックス                            
７  防火シャッタ用安全装置                      
８  門型ストッパ                                
９  防火シート                                  
１０  防火シートまくし上げ機構                  
１１  橋絡板                                    
１２  ストッパ脚                                
１３、１３’、２４  ネジ                                      
１４  通孔部                                    
１５  設置面                                    
１６  支持板                   
１７  抜止片                   
１８  ヘッド付きガイドピン                                  
１９、６２  案内ローラ                                
２０、５２  座板                                      
２１  座板片
２１’  一対の座板片の隙間                                    
２２  座板片の底部                              
２３  座板片の垂直部                            
２５、４１、４６、５０  係合部材                                    
２６、２６’、４０、４４、４８  受具                            
２７、４３、４７、５１  係合部材の係合部                            
２８  受け溝
２９  ワイヤ                                    
３０  プーリ                          
３１  左右の受け溝で囲まれたスペース                                      
３２  テーパ面                                      
３３  巻取ドラム                                
３４  建物の天井部の構造体                      
３５  建物の天井壁                              
３６  まぐさ                                    
３７  折りたたみ部                              
３８、６８  引っ張りばね
３９  中間補強片 
５３  抜け止め機構
５４  座板部材              
５５  抜け止め片
５６  抜け止め片の本体部
５７  抜け止め片の枝部
５８、５９、６３  ガイド用長孔
６０、６１  ヘッド付きガイドピン
６４  ヘッド付きガイドピン
６５、６６  ばね取付部
６７  圧縮ばね
【図１】
2008266923.tif 000003
【図２】
2008266923.tif 000004
【図３】
2008266923.tif 000005
【図４】
2008266923.tif 000006
【図５】
2008266923.tif 000007
【図６】
2008266923.tif 000008
【図７】
2008266923.tif 000009
【図８】
2008266923.tif 000010
【図９】
2008266923.tif 000011
【図１０】
2008266923.tif 000012